(57)【要約】      （修正有）【課題】雨天時または夜中において、安全を表示作用と照明作用を併有した雨傘の改善構造を提供する。【解決手段】雨傘本体と、雨傘本体の傘布の頂上端に設けられた一つまたは一つ以上の発光部材と、雨傘本体の取っ手の上側位置に設けられた給電装置と、給電装置に接続されるスイッチと、傘布の頂上端に設けられ、内部に発光部材を収容した透明柱であって、発光部材が雨傘本体の中空状棒を通した導線によりスイッチと電気的に接続された透明柱と、傘布の内面の一部に設けられる反射材とを含む。【選択図】図１
0003163571.tif 000002
【実用新案登録請求の範囲】
【請求項１】
雨傘の改善構造であって、
雨傘本体と、
雨傘本体の傘布の頂上端に設けられた一つまたは一つ以上の発光部材と、
雨傘本体の取っ手の上側位置に設けられた給電装置と、
給電装置に接続されるスイッチと、
傘布の頂上端に設けられ、内部に発光部材を収容した透明柱であって、発光部材が雨傘本体の中空状棒を通した導線によりスイッチと電気的に接続された透明柱と、
傘布の内面の一部に設けられる反射材とを含み、
給電装置からの給電により点灯する発光部材を通じて、雨傘の頂上端の透明柱が常時点灯または点滅し、雨傘をしまって使わないときは照明作用を果たし、
後側の道路状況を使用者の観察に用いられるように、前記傘布の内面に反射材が設けられているたことを特徴とする雨傘の改善構造。
【請求項２】
前記透明柱の内部に設けられる発光部材は、明るさの大きい発光ダイオードまたは電球であることを特徴とする請求項１記載の雨傘の改善構造。
【請求項３】
前記傘布内面に設けられる反射材は軟質の薄い反射布のシートであることを特徴とする請求項１記載の雨傘の改善構造。
【請求項４】
前記傘布の内面の一部にには複数のオス粘着部材が設けら、反射材の対応個所にメス粘着部材が設けられ、前記オス粘着部材とメス粘着部材の互いの粘着によって反射材を傘布の内面に固定したことを特徴とする請求項１記載の雨傘の改善構造。
【考案の詳細な説明】
【技術分野】
【０００１】
本考案は発光雨傘の構造に関するもので、特に暗い夜中の場合に傘布の頂上端に光源を光らせ、安全表示の作用を達成し、かつ傘布の内面から後側の道路状況を観察することができ、それによって雨天と夜中で傘を持って歩くときの安全を高める発光雨傘の構造に関するものである。
【背景技術】
【０００２】
一般に雨天または雨天の暗い夜道を歩行する場合、通常は手で雨傘を持って雨水を遮蔽するが、従来の雨傘には反射または光源の表示が設けられていない。そのため、傘を持って路上を歩行する場合、往来する車両は前方の歩行者を明確に発覚することができない。そのために雨天の視線不良に起因して事故を引き起こすといった遺憾な事態に至ってしまう。また傘を持って歩く場合、それが昼間または夜間に拘わらず、ともに後側の道路状況を察知することができず、雨天時の安全性を確保することが難しい。
出願人は以上の点に鑑み、これに関する業務を長年従事した経験をもって、絶えなく研究、実験を経て、遂に雨傘を改善し、雨天や暗い夜間に傘を持って歩くときにより安全である雨傘の完成に至った。
【考案の概要】
【０００３】
本考案の主要な目的は、雨傘の頂上端に常時発光または点滅する光源を設け、雨天または暗い夜中に雨傘を使用するときに、安全を表示する目的を達成できるとともに、照明作用を併有した雨傘の改善構造を提供することにある。
【図面の簡単な説明】
【０００４】
【図１】本考案の立体図である。
【図２】本考案の内面から見た立体図である。
【図３】本考案の発光部材の組合せ実施図である。
【図４】本考案の給電装置の立体分解図である。
【図５】本考案の使用実施例図である。
【図６】本考案の反射材の別の実施例図である。
【考案を実施するための形態】
【０００５】
図１から図３に示した雨傘の立体図及び発光部材を組み付けた図面を参照しながら本考案の実施例について説明する。
図面に示すように、本考案に係る雨傘は雨傘本体１を有する。
雨傘本体１の傘布１１の頂上端には透明柱１２が設けられ、透明柱１２内には一つまたは一つ以上の発光部材１３が設けられている。
本実施例では、前記発光部材１３として明るさの大きい発光ダイオード（ｄｉｏｄｅ）または電球を含む。
雨傘本体１の取っ手１４の上側位置には給電装置１５及び給電装置１５に接続されるスイッチ（ｓｗｉｔｃｈ）１６が設けられていて、発光部材１３が雨傘本体１の中空状棒１８に内挿した導線１７を介してスイッチ１６と接続されている。
【０００６】
傘布１１の内面の適当エリア（ａｒｅａ）には反射材１９が設けられている。本実施例に於いては、前記反射材１９を軟質の薄い反射布のシート（ｓｈｅｅｔ）で構成している。
【０００７】
前述した部材の組合せによって雨傘を構成する。
雨傘を使用する時は給電装置１５から給電されることによって発光部材１３を点灯し、雨傘の頂上端の透明柱１２に常時点灯または点滅の光源を発生させる。
これによって雨天の夜間時に雨傘を使用した場合に安全表示の目的を達成できる。
または雨傘をしまって使わない場合にも、前方に対する照明作用を発揮できる。
また傘布１１の内面に設けられた反射材１９が後側の道路状況を反射するため、使用者は反射材１９に写った後側の道路状況を観察できるので、雨天で傘を持って歩行するときにより安全性が高くなる。
【０００８】
図４の給電装置の立体分解図を参照して説明する。
同図に示すように、給電装置１５は雨傘本体１の取っ手１４の上側に溝１４１と、溝１４１を被せる蓋１４２が設けられている。
溝１４１内には接触ばね１４３が設けられ、電池１４４（図面に示すボタン（ｂｕｔｔｏｎ）型電池または一般のアルカリ（ａｌｋａｌｉ）電池）が装填される。上側のスイッチ１６によって電源をオン（ｏｎ）にすることで、発光部材１３の給電回路が形成される（図３参照）。
【０００９】
図５の使用実施例図と図１及び図２を参照して説明する。
本考案の雨傘を使用する場合、使用者は従来の雨傘のように取っ手１４を握って雨水を遮蔽するが、夜間歩行する場合にはスイッチ１６をオンし、給電装置１５の給電回路を通じて発光部材１３を点灯すると、雨傘の頂上端の透明柱１２に常時点灯または点滅の光源が発生する。
これによって雨天の夜間で雨傘を使用した場合にも安全表示の目的が達成される。
または雨傘をしまって使わない場合にも、前方に対する照明作用を発揮できる。
また傘布１１の内面に設けられる反射材１９は後側の道路状況を反射し、使用者は反射材によって後側を観察することができる。
それは自動車のバックミラー（ｂａｃｋ  ｍｉｒｒｏｒ）のように、後ろ向きをする必要がなく、雨天で傘を持って歩行するときはより安全な防護作用が得られる。
【００１０】
図６の反射材の別の実施例図を参照して説明する。
傘布１１の内面の適当エリアには複数のオス粘着部材１１１を設け、並びに反射材１９の対応個所にメス粘着部材１９１を設け、オス、メス粘着部材１１１、１９１の互いの粘着によって反射材１９を傘布１１の内面に固定すれば、後側の道路状況の観察に用いられ、かつ別の形態の雨傘として構成することができる。
【図１】
0003163571.tif 000003
【図２】
0003163571.tif 000004
【図３】
0003163571.tif 000005
【図４】
0003163571.tif 000006
【図５】
0003163571.tif 000007
【図６】
0003163571.tif 000008